(57)【要約】【課題】  カシメ加工を用いることなく、挿抜自在に座金のねじ保持用の穴に装着されるねじを常に座金に保持できる。【解決手段】  端子５のねじ用穴４からねじ２を回転離脱させた状態で端子５の広面に対して垂直方向にねじ２を座金３と共にアップするねじアップ式端子台１において、ねじ２が座金３のねじ保持用穴４に挿抜自在に装着された状態で、圧縮ばね８の付勢力によりねじ２の平ワッシャ２１を受けて保持可能とするねじ保持部６３がねじアップ式端子台１のユニット６の天井部分にリブとして設けられている。【選択図】  図１
2005209345.tif 000002
【特許請求の範囲】
【請求項１】
ねじを回転させて端子のねじ用穴からねじ先端部を離脱させたときに、座金に一端が取り付けられたばねの付勢力により該ねじが該座金と共にアップするねじアップ式端子台において、
該ねじが該座金のねじ保持用穴に挿抜自在に装着された状態で、該ばねの付勢力により、該ねじの首部に装着されたワッシャ手段および、該ねじの頭部のうち少なくともいずれかを受けて保持可能とするねじ保持部を備えたねじアップ式端子台。
【請求項２】
前記ねじ保持部は、前記ねじの頭部を受けて保持可能な丸穴の一部または全部で構成されている請求項１に記載のねじアップ式端子台。
【請求項３】
前記ねじ保持部は、前記ばねの付勢力により更に前記座金を受けて保持する請求項１または２に記載のねじアップ式端子台。
【請求項４】
前記ねじ保持部は、前記座金およびばね付きねじ、端子をそれぞれ保持する絶縁部材からなるユニットの天井部に形成されている請求項１〜３のいずれかに記載のねじアップ式端子台。
【請求項５】
前記座金は、前記ねじ保持用穴を有する座金部材と、該座金部材にＬ字状に連設された支持部材とを有し、該支持部材に前記ばねが取り付けられている請求項１に記載のねじアップ式端子台。
【請求項６】
前記支持部材の背面側に更にＬ字状の突出部材が設けられており、該突出部材の先端が該支持部材の長手方向を向くように成形されており、前記ばねの一端が該突出部材に嵌め込まれている請求項５に記載のねじアップ式端子台。
【請求項７】
前記突出部材はテーパ状に先細形状になっている請求項６に記載のねじアップ式端子台。
【請求項８】
前記支持部材には、前記突出部材に対向する縦方向のスリットが形成されており、該スリットの幅は前記ばねの外径より小さく構成されている請求項５または６に記載のねじアップ式端子台。
【請求項９】
前記座金およびばね付きねじが、絶縁部材からなるユニット内に組み込まれた場合に、前記スリットに対向する該ユニットの位置に該ばね収容用の凹部が形成されている請求項８に記載のねじアップ式端子台。
【発明の詳細な説明】
【技術分野】
【０００１】
本発明は、例えば原子力発電所、火力発電所および変電所などの配電盤、制御盤および監視盤などに用いられる配線中継および分岐装置としての端子台において、ねじを締結して端子を介して配線を連結するときに、端子のねじ穴からねじを回転離脱させた状態で端子面に対して垂直方向にねじを座金と共に移動（アップ）することにより、ねじ締結作業を容易にするねじアップ式端子台に関する。
【背景技術】
【０００２】
この種のねじアップ式端子台は、図１２〜図１４に示すように、例えば特許文献１，２に開示されている。
【０００３】
図１２および図１３に示すように、ねじアップ式端子台１００は、座金付のねじ１０１と、一端がファストンタブに形成された金属板の他端部に締結用のねじ穴１０２を持つ端子１０３と、この端子１０３を保持すると共に端子１０３に対して垂直方向に座金付のねじ１０１を移動（アップ・ダウン）自在にガイドする絶縁部材からなるユニット１０４と、座金付のねじ１０１に対してねじ穴１０２から離間する方向（垂直方向）に、座金付のねじ１０１に付勢力を付与する圧縮ばね１０５とを有している。
【０００４】
座金付のねじ１０１は、ねじをその先端部分から座金のねじ保持用穴内に通した後にカシメることにより、ねじ首が端子１０３の穴内で遊環状態で保持されるようになっている。この座金は、図１４に示すように、ねじ保持用穴を有する四角状の座金部材１０１ａと、この座金部材１０１ａの一辺部分にＬ字状に連設する支持部材１０１ｂとから構成されている。この支持部材１０１ｂは、端子１０３に対して垂直方向に配置され、その先端部分１０１ｃには、圧縮ばね１０５が取り付けられている。
【０００５】
ユニット１０４は複数個その厚み方向に連結され、ユニット１０４のそれぞれに、座金付のねじ１０１、端子１０３および圧縮ばね１０５を収容している。
【０００６】
圧縮ばね１０５は、ユニット１０４内の端子１０３の下方位置に配置され、支持部材１０１ｂの途中の膨らみ部１０１ｄを上方向（ねじの端子１０３からの離間方向）に付勢するようになっている。
【０００７】
上記構成により、定期的なメンテナンス時などに、まず、座金付のねじ１０１を緩めると、座金付のねじ１０１の先端が端子１０３のねじ穴１０２から離脱し、圧縮ばね１０５の付勢力により座金付のねじ１０１の座金と共にねじが端子面に対して垂直方向に移動（アップ）する。
【０００８】
次に、座金付のねじ１０１の先端部と端子１０３のねじ穴１０２との間隙内に、電線が圧着された圧着端子を挿入した後に、圧着端子の穴内にねじの先端部を通して締め付けて圧着端子を端子１０３と座金付のねじ１０１の座金とで挟み込むことにより、端子１０３と電線とを連結する。
【０００９】
また、特許文献３には、座金にねじがカシメられた座金付きねじが端子台から脱落することを防ぐために、ねじの頭部を露出させる穴と、この穴の周縁部に設けられたリング状の下方出張り部とが設けられたカバーを端子台の上面に取り付けることにより、座金の外周縁部のみをその下方出張り部で下側に押さえることが開示されている。
【特許文献１】実公昭６３−１８１２９号公報（実開昭５８−１２０５６７号公報）
【特許文献２】特願平４−１１９８８号公報
【特許文献３】実開平５−２３４２６号公報
【発明の開示】
【発明が解決しようとする課題】
【００１０】
しかしながら、上記従来のねじアップ式端子台では、座金付きねじのねじが座金から外れて落下し、ねじが落下した部分でショートを起こす虞があり、これを防ぐために、ねじが座金にカシメられて取付けられている。この場合、カシメ圧力で座金が適度に変形してねじが座金にカシメられるのであるから、Ｌ字状の座金が歪んで、座金付きねじが良好にねじアップしない不良品になる虞もある。また逆に、カシメ度合いが緩い場合には、ねじが座金から容易に抜けるというカシメ不足の問題も発生し得る。
【００１１】
したがって、これらの座金付きねじの良品管理を行う必要が生じるし、このカシメ工程自体も必要不可欠な工程となっている。
【００１２】
本発明は、上記従来の問題を解決するもので、カシメ加工を用いることなく、挿抜自在に座金のねじ保持用穴に装着されるねじを常に座金に保持できるねじアップ式端子台を提供する。
【課題を解決するための手段】
【００１３】
本発明のねじアップ式端子台は、ねじを回転させて端子のねじ用穴からねじ先端部を離脱させたときに、座金に一端が取り付けられたばねの付勢力により該ねじが該座金と共にアップするねじアップ式端子台において、該ねじが該座金のねじ保持用穴に挿抜自在に装着された状態で、該ばねの付勢力により、該ねじの首部に装着されたワッシャ手段および、該ねじの頭部のうち少なくともいずれかを受けて保持可能とするねじ保持部を備え、そのことにより上記目的が達成される。
【００１４】
また、本発明のねじアップ式端子台におけるねじ保持部は、前記ねじの頭部を受けて保持可能な丸穴の一部または全部で構成されている。
【００１５】
さらに、本発明のねじアップ式端子台におけるねじ保持部は、前記ばねの付勢力により更に前記座金を受けて保持する。
【００１６】
さらに、本発明のねじアップ式端子台におけるねじ保持部は、前記座金およびばね付きねじ、端子をそれぞれ保持する絶縁部材からなるユニットの天井部に形成されている。
【００１７】
さらに、本発明のねじアップ式端子台における座金は、前記ねじ保持用穴を有する座金部材と、該座金部材にＬ字状に連設された支持部材とを有し、該支持部材に前記ばねが取り付けられている。
【００１８】
さらに、本発明のねじアップ式端子台における支持部材の背面側に更にＬ字状の突出部材が設けられており、該突出部材の先端が該支持部材の長手方向を向くように成形されており、前記ばねの一端が該突出部材に嵌め込まれている。
【００１９】
さらに、本発明のねじアップ式端子台における座金の支持部材には、前記突出部材に対向する縦方向のスリットが形成されており、該スリットの幅は前記ばねの外径より小さく形成されている。
【００２０】
さらに、本発明のねじアップ式端子台における座金およびばね付きねじが、絶縁部材からなるユニット内に組み込まれた場合に、前記スリットに対向する該ユニットの位置に該ばね収容用の凹部が形成されている。
【００２１】
上記構成により、以下、本発明の作用を説明する。
【００２２】
本発明においては、ねじが座金のねじ保持用穴に挿抜自在に装着された状態で、ばねの付勢力によりねじのワッシャ手段または／および頭部を受けて保持可能とするねじ保持部がねじアップ式端子台に設けられている。これによって、従来のようにカシメ加工を用いることなく、挿抜自在に座金のねじ保持用穴に装着されるねじを常に座金に保持できる。
【００２３】
また、Ｌ字状の座金の支持部材の背面側にねじアップ用のばねが配設されているので、ばね長さをより長く取れることから、ばねのターン数を多くでき、かつばね径を小さくすることができる。このため、ユニット内のばね収容スペースが大幅に削減され得る。
【発明の効果】
【００２４】
以上により、本発明のよれば、ねじが座金のねじ保持用穴に挿抜自在に装着された状態で、ばねの付勢力によりねじのワッシャ手段または／および頭部を受けて保持可能とするねじ保持部がねじアップ式端子台に設けられているため、従来のようにカシメ加工を用いることなく、挿抜自在に座金のねじ保持用の穴に装着されるねじを常に座金に保持することができる。
【００２５】
また、Ｌ字状の座金の支持部材の背面側にねじアップ用のばねが配設されるため、ユニット内のばね収容スペースを大幅に削減することができる。
【発明を実施するための最良の形態】
【００２６】
以下に、本発明のねじアップ式端子台およびその製造方法の実施形態について図面を参照しながら説明する。
【００２７】
図１は本発明の一実施形態に係るねじアップ式端子台の要部構成を示す正面図、図２は図１のねじアップ式端子台を斜め上から見た場合の斜視図、図３は図１のねじアップ式端子台を斜め下から見た場合の斜視図である。
【００２８】
図１〜図３において、ねじアップ式端子台１は、ねじ首にワッシャ手段としてのスパックおよび平ワッシャ２１が嵌め込まれて成形された鍋ねじなどのねじ２と、ねじ２の首部を外嵌して頭部を保持可能なねじ保持用穴を持つＬ字状の座金３と、短冊状の金属製帯材の一方端部に締結用のねじ用穴４を持つ端子５と、この端子５を保持すると共に端子５に対して垂直方向にねじ２を座金３と共に移動（アップ・ダウン）自在にガイドする絶縁部材からなるユニット６と、端子５のねじ用穴４下のユニット６の六角穴内に収容され、ねじ２がねじ用穴４を通して螺合可能とするナット７と、Ｌ字状の座金３の背部に設けられた突起部分に一端が挿入されて、ねじ用穴４から離間する方向（端子５の広面に対して垂直方向）に、座金３を付勢する圧縮ばね８とを有している。
【００２９】
ねじ２は、ねじ首にスパック（Ｓワッシャ）および平ワッシャ２１が嵌め込まれた後にねじ成形されているので、スパックおよび平ワッシャ２１はねじ本体から脱落することはない。この場合、スパックの外径よりも平ワッシャ２１の外径の方が大きい。
【００３０】
座金３は、図４〜図６に示すように、ねじ保持用穴を有する四角形状の座金部材３１と、この座金部材３１の一辺部分にＬ字状に連設する支持部材３２とから構成されている。この支持部材３２は、端子５の広面に対して垂直方向に配置され、支持部材３２の連設部分近傍の幅方向中央部分が切り起こされて、先端部分が端子５側に向けられたＬ字状突起部３３が形成されている。このＬ字状突起部３３の先端部分には圧縮ばね８が取り付けられる。これにより、中間組み立て品である座金およびばね付きねじ（図４参照）が構成される。この場合、支持部材３２からＬ字状突起部３３が切り起こされているが、この切り起こされた部分の溝幅が圧縮ばね８のばね外径よりも細い溝幅となっており、かつ、圧縮ばね８の配設方向に金型を抜くように構成されている。これによって、図７に示すように、Ｌ字状突起部３３にその先端部分ほど細くなるようにテーパができて先細形状となっており、ばね圧縮時の圧縮ばね８の安定性を確保すると共に、Ｌ字状突起部３３（一段折れ曲がった構造）を圧縮ばね８の内径に挿入する際にも圧縮ばね８がＬ字状突起部３３に引っ掛かり難い。また、ばね伸長時にも、構成するユニット６の所定位置（例えば凹部）内に組み付けることにより、圧縮ばね８が円柱状または角柱状に囲まれて、圧縮ばね８の位置の安定性が確保される。
【００３１】
なお、従来は、ねじと座金とをカシメてねじが座金から脱落しないようにしていたが、本実施形態ではねじ２と座金３とはカシメずに、ねじ２の先端部分から座金３のねじ保持穴に通してねじ２の頭部を座金３のねじ保持用穴で保持しているだけである。即ち、ねじ２と座金３が分離可能な構造（ねじ２が座金３にカシメられていない構造）である。
【００３２】
ユニット６は複数個その厚み方向に連結され、隣接するユニット６との絶縁のために縦方向に面構造を持つ壁部材６１と、前述したねじ２、座金３、端子５、ナット７および圧縮ばね８を収容するために壁部材６１から立設されたリブ部材６２とを有している。
【００３３】
また、ユニット６は、圧縮ばね８の付勢力によりねじ２を座金３と共に保持するねじ保持部６３を有している。このねじ保持部６３はユニット６の天井部に設けられており、ねじ２の鍋状頭部をユニット６の天井部の穴で逃がして平ワッシャ２１の外周縁部を固定するためのリブを設けている。
【００３４】
圧縮ばね８は、座金３の背後に配設されてばね長が取れるのでばね外径を小さくできることから、ばね部分のスペースを小さくでき、かつ、従来のばねよりもばね外径は小さいが、ターン数が多く取れるので、従来のばねよりもばねのへたりを少なくすることができる。
【００３５】
上記構成により、定期的なメンテナンス時などに、まず、ねじ２をドライバーで回転させて緩めると、ねじ２の先端が端子５のねじ用穴４から離脱し、圧縮ばね８の付勢力によりねじ２が座金３と共に端子５の広面に対して垂直方向に移動（アップ）する。このとき、ねじ２の鍋状頭部はユニット６の天井部の穴で逃がされ、平ワッシャ２１の外周縁部がねじ保持部６３により圧縮ばね８の付勢力に抗して固定される。この状態で、ねじ２のねじ本体が座金３および平ワッシャ２１から抜けて脱落することはない。
【００３６】
次に、ねじ２の先端部と端子５のねじ用穴４との間隙内に、電線が圧着された圧着端子を挿入した後に、ねじ２の鍋状頭部をドライバーの先端で押さえてねじ２と共に座金３を圧縮ばね８の付勢力に抗して下降させ、圧着端子の穴内にねじ２の先端を通してねじ用穴４下のナット７に対して締め付けて圧着端子を端子５と座金３とで挟み込む。これにより、端子５と電線とが電気的に連結される。
【００３７】
ここで、ねじ２が座金３と共に端子５の広面に対してアップした状態で、図８のように、ユニット６および端子５に対してねじ２を座金３と共に傾ければ、座金３のねじ保持用穴からねじ２を容易に抜き取ることができる。ねじ２がぼけた場合のねじ交換などに有効である。
【００３８】
また、両方の端子５はそれぞれ、２枚の帯材から構成されており、一方の帯材はねじ用穴４が形成された側とは反対側が互いに接触することにより電気的に連結されるようになっているが、挿入口１０ａから絶縁棒を挿入することによりその接触部を電気的に遮断させることもできる。この遮断時に、挿入口１０ｂから導電棒を挿入することによりその導電棒と一方の端子５の他方の帯材とを電気的に接続することができ、また、挿入口１０ｃから導電棒を挿入することによりその導電棒と他方の端子５の他方の帯材とを電気的に接続することができる。
【００３９】
以上により、上記実施形態によれば、端子５のねじ用穴４からねじ２を回転離脱させた状態で端子５の広面に対して垂直方向にねじ２を座金３と共にアップするねじアップ式端子台１において、ねじ２が座金３のねじ保持用穴４に挿抜自在に装着されただけの状態で、圧縮ばね８の付勢力によりねじ２の平ワッシャ２１を受けて保持可能とするねじ保持部６３がねじアップ式端子台１のユニット６の天井部分にリブとして設けられている。このため、従来のようにカシメ加工を用いることなく、挿抜自在に座金３のねじ保持用穴に装着されただけのねじ２を常に座金３および平ワッシャ２１から脱落させることなく保持できる。
【００４０】
なお、上記実施形態では、圧縮ばね８の付勢力によりねじ２の平ワッシャ２１をリブ状のねじ保持部６３で受けるように構成したが、これに加えてまたはこれとは別に、ねじ２の鍋状頭部を穴の内周縁部で容易にひらって固定するために、ねじ２の鍋状頭部の外径よりも若干小さい内径の穴を有するねじ保持部をユニット６の天井部に設けるようにしてもよい。さらに、ユニット６に、圧縮ばね８の付勢力に抗して更に座金３を上から押さえてこれを保持するねじ保持部を設けるようにしていもよい。これにより、ねじ２が座金３のねじ保持用穴４に挿抜自在に装着された状態（カシメられていない状態）で、圧縮ばね８の付勢力によりねじ２の平ワッシャ２１または／および頭部を座金３と共にねじ保持部で受け止めて保持することができる。
【００４１】
また、上記本実施形態では、座金２をねじ２と共にアップさせるために圧縮ばね８を用いたが、これに限らず、図９〜図１１に示すようにコイルばね９を用いてもよい。図９〜図１１ではコイルばね９がユニット６の真ん中に一つある場合を示している。ねじアップ用のばねは、圧縮ばね８やコイルばね９の他に、せんばねや板ばねなど、ねじアップ機能を達成できるものであれば他の形態のばねであってもよい。
【００４２】
さらに、上記本実施形態では、図５〜図６の座金３のように構成したが、例えば、圧縮ばね８が縮んだ時にユニット６内で収まりがよいように、座金３の支持部材３２における切り起こし部の縦溝を下端まで延長したスリットを入れて構成してもよい。この場合、スリット内に圧縮ばね８が吸い込まれないように、スリット幅が圧縮ばね８のばね外径よりも細い溝幅となっている必要がある。このスリットに対向するようにユニット６側にも縦方向の凹部を圧縮ばね８の一部を収容するために設けてもよい。
【００４３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００４４】
本発明は、例えば原子力発電所、火力発電所および変電所などの配電盤、制御盤および監視盤などに用いられる配線中継および分岐装置としての端子台において、ねじを締結して端子を介して配線を連結するときに、端子のねじ穴からねじを回転離脱させた状態で端子面に対して垂直方向に、ねじ締結作業を容易にするために、ねじを座金と共に移動（アップ）するねじアップ式端子台の分野において、カシメ加工を用いることなく、挿抜自在に座金のねじ保持用の穴に装着されるねじを常に座金に保持できる。
【図面の簡単な説明】
【００４５】
【図１】本発明の一実施形態に係るねじアップ式端子台の要部構成を示す正面図である。
【図２】図１のねじアップ式端子台を斜め上から見た場合の斜視図である。
【図３】図１のねじアップ式端子台を斜め下から見た場合の斜視図である。
【図４】図１のねじ、座金および圧縮ばねを組み立てた状態を示す側面図である。
【図５】図４の上面図である。
【図６】図４の斜視図である。
【図７】図４のＬ字状突起部材の先細形状を説明するための要部拡大図である。
【図８】図１において、ねじを座金から抜き取る状態を説明するための要部拡大図である。
【図９】（ａ）は圧縮ばねの代わりにコイルばねを用いた場合の他の実施形態を示す図１のねじおよび座金とばねとを組み立てた状態を示す上面図、（ｂ）はその側面図である。
【図１０】図９（ｂ）においてばねが収縮した状態を示す側面図である。
【図１１】図９（ｂ）のねじ、び座金およびばねをユニットに組み込んだ状態を示す他の実施形態のねじアップ式端子台の一部正面図である。
【図１２】従来のねじアップ式端子台の斜視図である。
【図１３】図１２のねじアップ式端子台の正面図である。
【図１４】図１２の座金付きねじに圧縮ばねを組み込んだ状態を示す斜視図である。
【符号の説明】
【００４６】
１  ねじアップ式端子台
２  ねじ
３  座金
３１  座金部材
３２  支持部材
３３  Ｌ字状突起部材
４  ねじ穴
５  端子
６  ユニット
６１  壁部材
６２  リブ部材
６３  ねじ保持部
７  ナット
８  圧縮ばね
９  コイルばね
【図１】
2005209345.tif 000003
【図２】
2005209345.tif 000004
【図３】
2005209345.tif 000005
【図４】
2005209345.tif 000006
【図５】
2005209345.tif 000007
【図６】
2005209345.tif 000008
【図７】
2005209345.tif 000009
【図８】
2005209345.tif 000010
【図９】
2005209345.tif 000011
【図１０】
2005209345.tif 000012
【図１１】
2005209345.tif 000013
【図１２】
2005209345.tif 000014
【図１３】
2005209345.tif 000015
【図１４】
2005209345.tif 000016